(57)【要約】【課題】インフルエンザ等の感染症の外来として利用でき、病院等において、医療スタッフ、他の患者、そして入院患者への感染症の二次感染の確実な防止を図ることができる可搬式感染症対策室装置を提供する。【解決手段】本発明では、可搬式の居室用箱体１の内部空間を間仕切壁２ａ，２ｂで仕切って、一端側に医療スタッフ室３、他端側に患者待機室４を設けると共に、中間側に対処室５を構成し、医療スタッフ室と患者待機室の夫々に箱体外との扉付き出入口８，９を設けると共に、医療スタッフ室と対処室及び対処室と患者待機室との間に扉付き出入口１２，１３を設け、患者待機室にフィルタを備えた室内空気の排気ユニット１４を設けると共に、医療スタッフ室に外気の給気ユニット１５を設け、排気ユニットの排気経路１６から分岐させて対処室に至る還流経路１７を設けたを設けた可搬式感染症対策室装置を提案する。【選択図】図２
2011041765.tif 000002
【特許請求の範囲】
【請求項１】
可搬式の居室用箱体の内部空間を間仕切壁で仕切って、一端側に医療スタッフ室、他端側に患者待機室を設けると共に、中間側に対処室を構成し、医療スタッフ室と患者待機室の夫々に箱体外との扉付き出入口を設けると共に、医療スタッフ室と対処室及び対処室と患者待機室との間に扉付き出入口を設け、患者待機室にフィルタを備えた室内空気の排気ユニットを設けると共に、医療スタッフ室に外気の給気ユニットを設け、排気ユニットの排気経路から分岐させて対処室に至る還流経路を設けたことを特徴とする可搬式感染症対策室装置。
【請求項２】
各室間には差圧ダンパーを設けると共に、還流経路との分岐位置よりも下流側にボリュームダンパーを設けて、還流経路を経て対処室に還流する空気の割合を調節可能に構成したことを特徴とする請求項１に記載の可搬式感染症対策室装置。
【請求項３】
居室用箱体は、車輪を設置又は設置可能として、牽引車両に連結して牽引により移動可能に構成したことを特徴とする請求項１に記載の可搬式感染症対策室装置。
【請求項４】
居室用箱体は、台車に積載して運搬可能な構成としたことを特徴とする請求項１に記載の可搬式感染症対策室装置。
【請求項５】
居室用箱体には、クレーン等による吊り上げ移載用吊り輪を設けたことを特徴とする請求項４に記載の可搬式感染症対策室装置。
【請求項６】
フィルタはＨＥＰＡ又はＵＬＰＡフィルタである請求項１に記載の可搬式感染症対策室装置。
【発明の詳細な説明】
【技術分野】
【０００１】
本発明は可搬式感染症対策室装置、特に、インフルエンザ等の空気感染、飛沫感染等の感染者の診断や治療等の対処に適した感染症対策室装置に関するものである。
【背景技術】
【０００２】
近来、鳥インフルエンザや、新型インフルエンザの発生と、人への感染による大流行の懸念が高まっている。高熱を伴うインフルエンザの患者が、病院等における通常の外来にて、診察、治療等の医療上の対処を行うことは、医療スタッフ、他の患者、そして入院患者への二次感染の危険が想定される。
【０００３】
このような危険性を防ぐためには、高熱を伴い、インフルエンザが疑われる患者に対しては、病院等の通常の外来とは別の場所に発熱患者用の外来を設けて、そこで医療上の対処を行う必要がある。
【０００４】
このような発熱患者用の外来を、一般の外来とは別に、病院内に設けることは、費用がかかり過ぎて実際的ではない。
【０００５】
そこで本発明者は、発熱患者用の外来を、可搬式の医療用設備として構成することにより、病院等の通常の外来とは別に設けることに想到した。
【０００６】
可搬式の医療用設備としては、従来、移動検診車があり、その代表的なものとしては、レントゲン検診車が従来から用いられている。例えば特許文献１では、自動車の居室用箱体内を間仕切壁で仕切って３つの部屋を構成し、最も前部の部屋を運転室兼Ｘ線制御室、最も後部の部屋を患者待機室、中間部の部屋をＸ線撮影室として構成している。
【先行技術文献】
【特許文献】
【０００７】
【特許文献１】特開平６−２７７２０３号公報
【発明の開示】
【発明が解決しようとする課題】
【０００８】
このように移動検診車を利用して発熱外来を設ければ、一般の患者や入院患者への感染は防げるが、医療スタッフに対しての感染を防ぐことは困難である。また自動車に特殊な医療設備を設けているので、非常に高価である。
【０００９】
そこで本発明では、医療スタッフに対しての感染症の感染を確実に防ぐと共に、外部へのウィルス等の感染症原因物質の放出を確実に防止することができ、しかも比較的安価に構成することができる可搬式の医療用設備、即ち、感染症対策室装置を構成することを目的としている。
【課題を解決するための手段】
【００１０】
本発明では、上述した課題を解決するために、可搬式の居室用箱体の内部空間を間仕切壁で仕切って、一端側に医療スタッフ室、他端側に患者待機室を設けると共に、中間側に対処室を構成し、医療スタッフ室と患者待機室の夫々に箱体外との扉付き出入口を設けると共に、医療スタッフ室と対処室及び対処室と患者待機室との間に扉付き出入口を設け、患者待機室にフィルタを備えた室内空気の排気ユニットを設けると共に、医療スタッフ室に外気の給気ユニットを設け、排気ユニットの排気経路から分岐させて対処室に至る還流経路を設けた可搬式感染症対策室装置を提案する。
【００１１】
また本発明では、上記の構成において、各室間には差圧ダンパーを設けると共に、還流経路との分岐位置よりも下流側にボリュームダンパーを設けて、還流経路を経て対処室に還流する空気の割合を調節可能に構成した可搬式感染症対策室装置を提案する。
【００１２】
また本発明では、上記の構成において、居室用箱体は、車輪を設置又は設置可能として、牽引車両に連結して牽引により移動可能に構成した可搬式感染症対策室装置を提案する。
【００１３】
また本発明では、上記の構成において、居室用箱体は、台車に積載して運搬可能な構成とした可搬式感染症対策室装置を提案する。
【００１４】
また本発明では、上記の構成において、居室用箱体には、クレーン等による吊り上げ移載用吊り輪を設けた可搬式感染症対策室装置を提案する。
【００１５】
また本発明では、上記の構成において、フィルタはＨＥＰＡ又はＵＬＰＡフィルタとすることを提案する。
【発明の効果】
【００１６】
本発明の可搬式感染症対策室装置では、患者待機室内の空気は、排気ユニットからフィルタを通して感染症原因物質が塵埃と共に除去されて清浄化された後、居室用箱体外に排気されるが、その排気の一部は、還流経路を通して対処室内に還流される。
【００１７】
このため患者待機室内は対処室に対して陰圧に維持されるので、患者が患者待機室から対処室に対して出入りする際に、対処室側の出入口の扉を開とした場合には、空気は対処室から患者待機室へと流れるため、患者待機室内の空気が対処室内に流入することを防ぐことができると共に、対処室においてそれまでに対処が行われた患者からの感染症原因物質は、対処室内の塵埃と共に患者待機室に流出するので、対処室内に留まることはない。
【００１８】
また患者待機室内の気圧は、大気圧に対しても陰圧に維持されるので、患者が患者待機室に対して出入りする際に、居室用箱体外との出入口の扉を開いても、患者待機室内の空気が大気に放出されることを防止することができる。
【００１９】
上述したとおり、患者待機室内の空気は、排気ユニットのＨＥＰＡ又はＵＬＰＡ等のフィルタを通して、ウィルス等の感染症原因物質が塵埃と共に除去された後に大気に排出されるので、患者待機室内に存在する感染症原因物質が大気に放出されることはない。
【００２０】
排気ユニットからの排気の一部は、排気ユニット内の上述したフィルタを経て清浄化されて還流経路を通して対処室に還流させるので、居室用箱体内の各室の空調負荷を低減することができる。
【００２１】
一方、医療スタッフ室には適宜フィルタを経た清浄な外気が給気ユニットから供給されていて、この医療スタッフ室内の気圧は、対処室内の気圧よりも高く維持されるので、医療スタッフが対処室に対して出入りする際、対処室側の出入口の扉を開いても、空気は医療スタッフ室から対処室へと流れるため、対処室内の空気が医療スタッフ室内に流入することを防ぐことができる。
【００２２】
上述した空気の流れは、各室間に差圧ダンパーを設けると共に、還流経路との分岐位置よりも下流側にボリュームダンパーを設けることにより、確実に行われる。
【００２３】
居室用箱体は、車輪を設置又は設置可能として、牽引車両に連結して牽引により移動可能に構成すれば、いわゆるキャンピングカーと同様な手軽さで移動を行うことができ、移動先で医療活動においては、脚等の支持装置を動作させて安定に支持することができる。
【００２４】
この他、居室用箱体は、台車に積載して運搬可能な構成とすることができ、この場合、居室用箱体にクレーン等による吊り上げ移載用吊り輪を設けておけば、台車に対しての積み降ろしを容易に行うことができる。
【図面の簡単な説明】
【００２５】
【図１】図１は本発明の可搬式感染症対策室装置の一つの実施の形態を示す模式的平面図である。
【図２】図２は本発明の可搬式感染症対策室装置の一つの実施の形態を示す模式的側面図である。
【図３】図３は本発明の可搬式感染症対策室装置の一つの実施の形態を示す模式的斜視図である。
【図４】図４は本発明の可搬式感染症対策室装置の移動状態の一例を示す模式的側面図である。
【図５】図５は本発明の可搬式感染症対策室装置の運搬状態の一例を示す模式的側面図である。
【発明を実施するための形態】
【００２６】
次に本発明の実施の形態を、添付図面を参照して説明する。
まず図１、図２は本発明の可搬式感染症対策室装置を模式的に示す平面図で、また図３は天井側と側壁側の一部を便宜的に切り欠いて模式的に示す斜視図である。本発明の可搬式感染症対策室装置は、可搬式の居室用箱体１内を間仕切壁２ａ，２ｂで仕切って、前部に医療スタッフ室３、後部に患者待機室４を設けると共に、中間部に対処室５を構成し、医療スタッフ室３と患者待機室４の夫々に居室用箱体外との扉６、７付きの出入口８、９を設けると共に、医療スタッフ室３と対処室５及び対処室５と患者待機室４との間に扉１０、１１付きの出入口１２、１３を設け、患者待機室４にフィルタ（図示省略）を備えた室内空気の排気ユニット１４を設けると共に、医療スタッフ室３に外気の給気ユニット１５を設け、上記排気ユニット１４の排気経路１６から分岐させて対処室に至る還流経路１７を設けている。また室３と室５間の間仕切壁２ａ及び室５と室４間の間仕切壁２ｂには差圧ダンパー１８ａ，１８ｂを設けると共に、排気経路１６には、還流経路１７との分岐位置よりも下流側にボリュームダンパー１９を設けて、還流経路１７を経て対処室５に還流する空気の割合を調節可能に構成している。尚、符号２０は還流空気口であり、また符号２１は給気ユニット１５の外気取入口、２２は給気口、２３は排気経路１６の排気口である。ここで、扉に関し、図１、図２では両開き式の扉、図３では片開き式の扉を示しているが、扉の形式は適宜であり、引き戸式の扉とすることもできる。また差圧ダンパーに関し、図３では間仕切壁２ａ，２ｂの夫々の差圧ダンパー１８ａ，１８ｂを、平面位置の同じ位置に設けているが、図１に示すように反対側の位置に設けて、ジグザグ状の空気流通が行われるような配置とすることもできる。また夫々の間仕切壁２ａ，２ｂに設置する差圧ダンパー１８ａ，１８ｂの個数も適宜である。尚、居室用箱体１を可搬式とする構成は後述する。
【００２７】
以上の構成の本発明の可搬式感染症対策室装置では、患者待機室４内の空気は、排気ユニット１４から、ＨＥＰＡ又はＵＬＰＡ等のフィルタを通して感染症原因物質が塵埃と共に除去されて清浄化された後、排気経路１６の排気口２３から居室用箱体１外に排気されるが、排気ユニット１４においてフィルタにより清浄化された排気の一部は、還流経路１７を通して流れ、還流空気口２０から対処室５内に還流される。
【００２８】
この際、扉１１が開いていない状態においては、対処室５内の空気は差圧ダンパ１８ｂを介して患者待機室４内に流れ、患者待機室４内は対処室５に対して陰圧に維持される。また、患者が患者待機室４から対処室５に対して出入りする際に、対処室５側の出入口１３の扉１１を開とした場合には、空気は開口１３を通して対処室５から患者待機室４へと流れるため、患者待機室４内の空気が対処室５内に流入することを防ぐことができる。また対処室５において、それまでに対処が行われた患者からの感染症原因物質は、上述した空気の流れにより、対処室５内の塵埃と共に患者待機室４に流出するので、対処室５内に留まることはない。
【００２９】
また患者待機室４内の気圧は、大気圧に対しても陰圧に維持されるので、患者が患者待機室４に対して出入りする際に、居室用箱体１外との出入口９の扉７を開いても、患者待機室４内の空気が大気に放出されることを防止することができる。
【００３０】
そして、患者待機室４内の空気は、排気ユニット１４のＨＥＰＡ又はＵＬＰＡ等のフィルタを通して、ウィルス等の感染症原因物質が塵埃と共に除去された後に大気に排出されるので、患者待機室４内に存在する感染症原因物質が大気に放出されることはない。
【００３１】
更に、排気ユニット１４からの排気の一部は、排気ユニット１４内の上述したフィルタを経て清浄化された後、還流経路１７を通して対処室５に還流させるので、居室用箱体１内の対処室５と患者待機室４の空調負荷を低減することができる。
【００３２】
この際、排気経路１６を経て外気に排気される空気と、還流経路１７を経て対処室に還流する空気の割合は、ボリュームダンパー１９により適切に調節することができる。
【００３３】
一方、医療スタッフ室３には適宜のフィルタを経た清浄な外気が給気ユニット１５により供給されていて、この医療スタッフ室３内の気圧は、対処室５内の気圧よりも高く維持されるので、医療スタッフが対処室５に対して出入りする際、対処室５側の出入口１２の扉１０を開いても、空気は医療スタッフ室３から対処室５へと流れるため、対処室５内の空気が医療スタッフ室３内に流入することを防ぐことができる。
【００３４】
この際、扉１０が開いていない状態においては、医療スタッフ室３内の空気は差圧ダンパ１８ａを介して対処室５内に流れ、対処室５内は医療スタッフ室３内に対して陰圧に維持される。
【００３５】
以上のことから本発明の可搬式感染症対策室装置では、医療スタッフが待機する医療スタッフ室３に対しての対処室５内の空気の侵入を確実に防止することができると共に、医療スタッフが出入りして患者の診察、治療等の対処を行う対処室５に対しては、患者待機室４内の空気の侵入を確実に防止することができるので、これらの空気に含まれる感染症原因物質による感染を確実に防止することができる。
【００３６】
そして本発明の可搬式感染症対策室装置は、可搬式として所望の場所まで移動又は運搬が可能であるので、病院の通常の外来や病棟と離れた場所、例えば病院等の駐車場や、駅頭や、繁華街等に駐車させて、感染症用の外来、いわば発熱外来として利用することにより、高熱を伴うインフルエンザの患者が、病院の通常の外来にて、診察、治療等が行われることによる、医療スタッフ、他の患者、そして入院患者への二次感染の確実な防止を図ることができる。
【００３７】
居室用箱体１は、図４に示すように、車輪２４を設置又は設置可能として、牽引車両２５、例えば通常の自動車に、適宜の連結具２６により連結して牽引により移動可能に構成すれば、いわゆるキャンピングカーと同様な手軽さで移動を行うことができ、移動先での医療活動においては、脚等の支持装置（図示省略）を動作させて安定に支持することができる。
【００３８】
この他、居室用箱体１は、図５に示すように、台車２７に積載して牽引車両２５により運搬可能な構成とすることができ、この場合、居室用箱体１にクレーン等による吊り上げ移載用吊り輪２８を設けておけば、台車２７に対しての積み降ろしを容易に行うことができる。
【００３９】
上述したように本発明の可搬式感染症対策室装置は、病院等の駐車場や、駅頭や、繁華街等の適宜場所に移動又は運搬して発熱外来として利用できるもので、その利用状態としては下記のような例が挙げられる。
【００４０】
まず発熱患者は病院の適所に表示された案内に従って、適所に設置された発熱外来用受付にて受付を行う。この受付は、例えば無人の受付に設置されたインターフォンや電話等の通話手段により、可搬式感染症対策室装置の医療スタッフと通話して手続を行ったり、可搬式感染症対策室装置に受付を設けて、この受付にて手続を行うようにすることもできる。
【００４１】
受付を行った患者は、可搬式感染症対策室装置における対処状況に応じた医療スタッフ側からの指示に従い、直ちに可搬式感染症対策室装置に移動して患者待機室４内に入って待機するか、又は自分の自動車内等において、順番が来るまで待機する。後者の場合には、自分の順番が来たことの連絡は、携帯電話を用いた医療スタッフからのコールにより行うことができる。
【００４２】
このように、自動車で来た患者に対しては、自分の自動車内で順番が来るまで待機させることにより、他の患者等との接触を防いで、感染の拡大を防止することができる。この場合、患者は自分の携帯電話番号を受付において伝え、自分の番が来たことを携帯電話のコールにより確認して可搬式感染症対策室装置に移動して患者待機室４内に入って待機することができる。尚、車で来ていない患者に対しては、例えば、可搬式感染症対策室装置と同様な構成、機能の患者待機室装置等を構成して、そこで待機させることもできる。
【００４３】
尚、以上の説明では、本発明の可搬式感染症対策室装置の各室に設置する機器類については具体例を挙げていないが、感染症の対処に必要な適宜の機器類を設けることができる。また機器類に必要な電力は、病院等から電力ケーブルを介して供給するように構成する他、エンジン発電機等の発電機等を搭載しても良い。しかし、前者の場合には、エンジンを停止させた状態で機能させることができ、排気ガスの排出を抑制することができる。
【産業上の利用可能性】
【００４４】
本発明の可搬式感染症対策室装置は、インフルエンザの発熱外来として利用できる他、空気感染又は飛沫感染する他の感染症に対しての対処を行うために利用することができ、こうして、病院等において、医療スタッフ、他の患者、そして入院患者への感染症の二次感染の確実な防止を図ることができる。
【００４５】
本発明の可搬式感染症対策室装置では、移動検診車等のように、自動車に特殊な医療設備を設けるのではないため、コストを低減することができ、例えば、居室用箱体としては、従来から各種のものが提供されている組立家屋を利用すれば、コストの大幅な削減も可能である。
【符号の説明】
【００４６】
１              居室用箱体
２ａ，２ｂ      間仕切壁
３              医療スタッフ室
４              患者待機室
５              対処室
６、７          扉
８、９          出入口
１０、１１      扉
１２、１３      出入口
１４            排気ユニット
１５            給気ユニット
１６            排気経路
１７            還流経路
１８ａ，１８ｂ  差圧ダンパー
１９            ボリュームダンパー
２０            還流空気口
２１            外気取入口
２２            給気口
２３            排気口
２４            車輪
２５            牽引車両
２６            連結具
２７            台車
２８            吊り輪
【図１】
2011041765.tif 000003
【図２】
2011041765.tif 000004
【図３】
2011041765.tif 000005
【図４】
2011041765.tif 000006
【図５】
2011041765.tif 000007